(57)【特許請求の範囲】
【請求項１】
重ね合わされた四角形をした二枚の布状体の、隣接する二辺の縁部が接合された袋状部と、前記隣接する二辺と相対する二辺が交わるそれぞれの頂点部を重ね合わせて接合することにより持手部を設け、前記頂点部が重ね合わせられたことにより前記持手部の上方に三角形の欠損部が形成されたことを特徴とした携帯簡易袋。
【請求項２】
前記頂点部において、前記二枚の布状体の一方の表に他方の裏を重ね合わせ、重ね合わさった縁部にそって四角形を形成するように接合したことにより前記持手部を設けたことを特徴とした請求項１記載の携帯簡易袋。
【請求項３】
前記頂点部において、前記二枚の布状体の前記頂点部をそれぞれ三角形が形成されるように内向きに折り曲げて重ね合わせ、重なった部分の上縁を直線状に接合したことにより前記持手部を設けたことを特徴とした請求項１記載の携帯簡易袋。
【請求項４】
前記頂点部において、前記二枚の布状体を中表に重ね合わせ、前記頂点部に隣接する二辺とで三角形を形成するように一直線に接合し、前記頂点部を挟み込むように前記二枚の布状体の全体を裏返したことにより前記持手部を形成したことを特徴とした請求項１記載の携帯簡易袋。
【請求項５】
重ね合わされた四角形をした二枚の布状体の、隣接する二辺の縁部が接合された袋状部と、前記隣接する二辺と相対する二辺が交わるそれぞれの頂点部を重ね合わせ、前記頂点部に隣接する二辺とで三角形を形成するように一直線に接合することにより持手部を設け、接合された位置より上方を切り落とすことにより前記持手部の上方に三角形の欠損部が形成されたことを特徴とした携帯簡易袋。
【発明の詳細な説明】
【技術分野】
【０００１】
本発明は、携帯して持ち歩くのに適した携帯簡易袋に関するものである。      
【背景技術】
【０００２】
地球温暖化防止のために環境保全が地球レベルで叫ばれているが、その一環として、レジ袋を削減するためのエコバッグ或いはマイバッグ運動が盛んになっている。一方、従来から市販されているエコバッグ或いはマイバッグと呼ばれている袋は、袋の上部に持手が付いていているのが一般的である。（例えば、特許文献１参照。）。また、２枚のハンカチやタオルのような布を重ね合わせて縫製した袋もある。（例えば、特許文献２参照。）。
【０００３】
【特許文献１】実用新案登録第３０９０５４３号公報
【特許文献２】実用新案登録第３１１５５１８号公報
【発明の開示】
【発明が解決しようとする課題】
【０００４】
背景技術で述べた特許文献１の「携帯用簡易買い物袋」は、前述のように袋の上に持手が付いているために、使用しないときに折り畳み難く、折り畳んだときにかさばり、携帯に適していない構造から、常時持ち歩かないためにレジ袋をもらうことが多く、結果的にはレジ袋削減の効果が薄れている。
【０００５】
また、特許文献２の「物入れ用袋」は、布を重ねて縫い合わせた構造で、携帯に適しているが、布の４隅のうちの一隅をそのまま縫い合わせて持手を形成しているため、他の３隅と外観上識別が困難で、袋に買った物を入れようとするときに持手を探す手間がかかる。また、持手に相当する部分の縫い合わせラインが一直線のため、縫い合わせ部分に力が集中し、耐久性に劣るなどの問題がある。
【０００６】
本発明は、上記問題を解決するために、使いやすく、耐久性もあり、また、折り畳みやすく、携帯するにも邪魔にならない携帯簡易袋を実現することを目的とするものである。  
【課題を解決するための手段】
【０００７】
上記目的を達成するために成された本考案は、重ね合わされた四角形をした二枚の布状体の、隣接する二辺の縁部が接合された袋状部と、前記隣接する二辺と相対する二辺が交わるそれぞれの頂点部を重ね合わせて接合することにより持手部を設け、前記頂点部を重ね合わせることにより前記持手の上方に三角形の欠損部を形成する。
【０００８】
ここで、前記持手部は、前記頂点部において、前記二枚の布状体の一方の表に他方の裏を重ね合わせ、重ね合わさった縁部にそって四角形を形成するように接合することにより設けてもよい。
【０００９】
また、前記持手部は、前記頂点部において、前記二枚の布状体の前記頂点部をそれぞれ三角形が形成されるように内向きに折り曲げて重ね合わせ、重なった部分の上縁を直線状に接合することにより設けてもよい。
【００１０】
さらに、前記持手部は、前記頂点部において、前記二枚の布状体を中表に重ね合わせ、前記頂点部に隣接する二辺とで三角形を形成するように一直線に接合し、前記頂点部を挟み込むように前記二枚の布状体の全体を裏返して設けてもよい。
【００１１】
また、前記持手部は、前記頂点部において、前記二枚の布状体を重ね合わせ、前記頂点部を重ね合わせ、前記頂点部に隣接する二辺とで三角形を形成するように一直線に接合して設けてもよく、接合された位置より上方を切り落とすことにより前記持手部の上方に三角形の欠損部を形成してもよい。
【００１２】
以上、本発明に用いる布状体とは、織布や不織布、紙、ビニールシート、或いはハンカチや風呂敷であり、接合とは糸で縫い合わせたり接着剤で接着したり熱で溶着するなどの方法である。
【発明の効果】
【００１３】
本発明は、以上説明したように構成されているので、次に記載する効果を奏する。
【００１４】
本発明では布状体を用いるので、ハンカチや風呂敷を折り畳むと同様に、四角形に薄く折り畳めるので、折り畳むのが容易で、かつ、常時持ち歩くのにも邪魔にならないので忘れることがなく、ハンカチでつくるとハンカチとしても使用できる。
【００１５】
布状体の４隅のうち持手部を設けた隅に切欠部が形成されているので、使用するときに持手部が直ぐに識別できる。
【００１６】
また、請求項１〜２に記載した持手部の構成では、接合部にかかる力が分散し、耐久強度がある。
【発明を実施するための最良の形態】
【００１７】
以下、本発明の最良の実施の形態を図１〜図１０に基づいて説明する。
【実施例１】
【００１８】
実施例１は図１〜図４に示すように、四角形をした二枚の布状体１ａ、１ｂとしてハンカチを用いて重ね合わせ、隣接する二辺の縁部を糸で縫い合わせることにより接合して袋状部２を設け、袋状部２の隣接する二辺と相対して隣接する二辺の頂点部３ａ、３ｂを、頂点部３ａの表面に頂点部３ｂの裏面が重なるように重ね合わせ、相互に重ね合わされた部分の縁部にそって、四角形を形成するように接合して持手部４を設ける。
【００１９】
そして、前記頂点部３ａ、３ｂを重ねて接合することにより、持手部４の上方に三角形の欠損部５を形成したことを特徴とした携帯簡易袋である。なお、以下の図において、接合部は太点線で示す。
【実施例２】
【００２０】
実施例２は図５〜図６に示すように、四角形をした二枚の布状体１１ａ、１１ｂとしてハンカチを用いて重ね合わせ、隣接する二辺の縁部を糸で縫い合わせることにより接合して袋状部１２を設け、袋状部１２の隣接する二辺と相対して隣接する二辺の頂点部１３ａ、１３ｂをそれぞれ三角形を形成するように内向きに折り曲げて重ね合わせ、重なった部分の上縁を直線状に接合して持手部１４を設ける。
【００２１】
そして、頂点部１３ａ、１３ｂを折り曲げて接合することにより、布状体１１ａ、１１ｂの４隅のうち持手部１４を設けた隅に三角形の欠損部１５を形成する。
【実施例３】
【００２２】
実施例３は図７〜図８に示すように、四角形をした二枚の布状体２１ａ、２１ｂとしてハンカチを用いて中表に重ね合わせ、隣接する二辺の縁部を糸で縫い合わせることにより接合して袋状部２２を設け、布状体２１ａ、２１ｂの表同士を中表に重ね合わせて、袋状部２２の隣接する二辺と相対して隣接する二辺の頂点部２３ａ、２３ｂに隣接する二辺とで三角形を形成するように一直線に接合し、頂点部２３ａ、２３ｂを挟み込むように布状体２１ａ、２１ｂの全体を裏返して持手部２４設ける。
【００２３】
そして、頂点部２３ａ、２３ｂが一直線に接合されて、挟み込むように前記布状体を裏返すことにより、持手部４の上方に三角形の切欠部２５を形成する。
【００２４】
しかし、実施例２及び３の場合は、持手部１４、２４の接合が容易であるという利点があるが、頂点部１３ａ、１３ｂ及び２３ａ、２３ｂが持手部１４、２４の内側に飛び出しているので、持手部１４及び２４を持ったときに感触がよくなく、また、背景技術に前述の実用新案登録第３１１５５１８号公報に記載の「物入れ用袋」と同様に、持手に相当する部分の接合ラインが一直線のため、接合された部分に力が集中し、耐久性に劣るなどの問題がある。
【００２５】
この持手部１４、２４の内側に頂点部１３ａ、１３ｂ及び２３ａ、２３ｂが飛び出している問題に対しては、頂点部１３ａ、１３ｂ及び２３ａ、２３ｂを切り落とすことにより解決できるが余分な工数がかかる。
【実施例４】
【００２６】
さらに、実施例５では図９〜図１０に示すように、四角形をした二枚の布状体３１ａ、３１ｂとしてビニールシートを用いて重ね合わせ、隣接する二辺の縁部を熱溶着により接合して袋状部３２を設け、袋状部３２の隣接する二辺と相対して隣接する二辺の頂点部３３ａ、３３ｂを重ね合わせ、前記頂点部に隣接する二辺とで三角形を形成するように直線状に接合して持手部１４を設ける。
【００２７】
そして、頂点部３３ａ、３３ｂを接合した位置より上部を切り落とすことにより、持手部３４の上方に三角形の欠損部３５が形成する。
【００２８】
しかし、この場合も背景技術に前述の実用新案登録第３１１５５１８号公報に記載の「物入れ用袋」と同様に、持手に相当する部分のラインが一直線のため、接合された部分に力が集中し、耐久性に劣るなどの問題がある。
【図面の簡単な説明】
【００２９】
【図１】本発明に係る実施例１を示す携帯簡易袋を使用している状態の斜視図である。
【図２】本発明に係る実施例１を示す携帯簡易袋の一部切欠正面図である。
【図３】本発明に係る実施例１を示す携帯簡易袋の持手部の展開図である。
【図４】本発明に係る実施例１を示す携帯簡易袋の持手部のＡ−Ａ断面図である。
【図５】本発明に係る実施例２を示す携帯簡易袋の一部切欠正面図である。
【図６】本発明に係る実施例２を示す携帯簡易袋の持手部のＢ−Ｂ断面図である。
【図７】本発明に係る実施例３を示す携帯簡易袋の一部切欠正面図である。
【図８】本発明に係る実施例３を示す携帯簡易袋の持手部のＣ−Ｃ断面図である。
【図９】本発明に係る実施例４を示す携帯簡易袋の一部切欠正面図である。
【図１０】本発明に係る実施例４を示す携帯簡易袋の持手部のＤ−Ｄ断面図である。
【符号の説明】
【００３０】
１ａ、１ｂ、１１ａ、１１ｂ、２１ａ、２１ｂ、３１ａ、３１ｂ    布状体
２、１２、２２、３２    袋状部
３ａ、３ｂ、１３ａ、１３ｂ、２３ａ、２３ｂ、３３ａ、３３ｂ    頂点部
４、１４、２４、３４    持手部
５、１５、２５、３５    欠損部  
【図１】
0005221201.tif 000002
【図２】
0005221201.tif 000003
【図３】
0005221201.tif 000004
【図４】
0005221201.tif 000005
【図５】
0005221201.tif 000006
【図６】
0005221201.tif 000007
【図７】
0005221201.tif 000008
【図８】
0005221201.tif 000009
【図９】
0005221201.tif 000010
【図１０】
0005221201.tif 000011